(57)【要約】【課題】  簡単な操作で、２台のカメラのいずれかを動作させる。【解決手段】  開状態と閉状態とに状態変化可能なカメラ付携帯電話であって、本体１が閉状態および閉状態のいずれの状態でも撮影可能な位置に設けられた外部カメラ１０７と、本体１が開状態にあるときのみ撮影可能な位置に設けられた内部カメラ１１０と、外部カメラ１０７に設けられたレンズカバー１０８と、本体１の状態を検出する本体開閉状態検出部１１１と、レンズカバー１０８の状態を検出するレンズカバー状態検出部１０９と、本体開閉状態検出部１１１とレンズカバー状態検出部１０９との検出結果に基づいて外部カメラ１０７および内部カメラ１１０の動作状態を切換える切換手段とを備えている。【選択図】        図１
2005136514.tif 000002
【特許請求の範囲】
【請求項１】
本体が開いた開状態と閉じた閉状態とに状態変化可能な携帯情報端末であって、
前記本体が閉状態および閉状態のいずれの状態でも撮影可能な位置に設けられた第１のカメラと、
前記本体が開状態にあるときのみ撮影可能な位置に設けられた第２のカメラと、
前記第１のカメラに設けられた、前記レンズが露出する露出状態と、前記レンズが露出しない保護状態とに状態を変化可能なレンズカバーと、
前記本体の状態を検出する第１状態検出手段と、
前記レンズカバーの状態を検出する第２状態検出手段と、
前記第１状態検出手段による検出結果と、前記第２状態検出手段による検出結果とに基づいて、前記第１のカメラおよび前記第２のカメラの動作状態を切換える切換手段とを備えた、携帯情報端末。
【請求項２】
前記切換手段は、前記第２状態検出手段により前記レンズカバーの状態が保護状態から露出状態への変化が検出されたとき、前記第１の状態検出手段による出力にかかわらず、前記第１のカメラを動作させる、請求項１に記載の携帯情報端末。
【請求項３】
前記切換手段は、前記第１のカメラが動作している状態で、前記第２状態検出手段により前記レンズカバーが露出状態から保護状態への変化が検出されたとき、前記第１の状態検出手段により開状態が検出されていることを条件に、前記第２のカメラを動作させる、請求項１に記載の携帯情報端末。
【請求項４】
前記切換手段は、前記第２のカメラが動作しているときは、前記第２のカメラの動作を禁止させる、請求項２に記載の携帯情報端末。
【請求項５】
第１のカメラまたは第２のカメラのいずれかを動作させる指示を受付ける受付手段をさらに備え、
前記切換手段は、前記受付手段により指示が受付けられると、前記第１状態検出手段により開状態が検出され、かつ、前記第２状態検出手段により保護状態が検出されていることを条件に、前記第２のカメラを動作させる、請求項１に記載の携帯情報端末。
【請求項６】
本体が開いた開状態と閉じた閉状態とに状態変化可能な携帯情報端末で実行されるカメラ切換方法であって、
前記情報端末は、
前記本体が閉状態および閉状態のいずれの状態でも撮影可能な位置に設けられた第１のカメラと、
前記本体が前記本体が開状態にあるときのみ撮影可能な位置に設けられた第２のカメラと、
前記第１のカメラに設けられた、前記レンズが露出する露出状態と、前記レンズが露出しない保護状態とに状態を変化可能なレンズカバーとを備え、
前記本体の状態を検出するステップと、
前記レンズカバーの状態を検出するステップと、
検出された前記本体の状態と、前記レンズカバーの状態とに基づいて、前記第１のカメラおよび前記第２のカメラの動作状態を切換えるステップとを含む、カメラ切換方法。
【発明の詳細な説明】
【技術分野】
【０００１】
本発明は、カメラ付携帯情報端末に関し、特に、複数のカメラを備えたカメラ付携帯情報端末およびカメラ切換方法に関するものである。
【背景技術】
【０００２】
近年、携帯電話機や簡易型携帯電話機（ＰＨＳ）など人に携帯されて可搬な情報通信端末が流通しており、音声通信のみならず画像を撮影するためのカメラを備えたものがある。
【０００３】
カメラ付の携帯電話では、ＴＶ電話や風景撮影など撮影状況によって、本体正面、本体背面方向と撮影方向が切換可能であることが望まれる。このような携帯電話として、本体背面側に１つ、本体正面側に１つ、計２つのカメラを内蔵したものが、特開２００３−６０７６５号公報（特許文献１）に記載されている。
【特許文献１】特開２００３−６０７６５号公報
【発明の開示】
【発明が解決しようとする課題】
【０００４】
上述した技術も含め、どちらのカメラを動作させるかの操作が複雑となる。特開２００３−６０７６５号公報には、この操作については記載されていない。これまでカメラを起動させる操作はボタンスイッチで行なうのが一般的である。ところが、このように撮影中にキー操作によって使用するカメラを切換える場合、操作方法が複雑となりがちで操作が判りにくい、また、押下するキーを間違える等の問題がある。
【０００５】
本発明は、かかる事情に鑑み考え出されたものであり、その目的の１つは、簡単な操作で、２台のカメラのいずれかを動作させることが可能な、カメラ付携帯情報端末を提供することである。
【課題を解決するための手段】
【０００６】
上記目的を達成するため、本発明のある局面に従うと、本体が開いた開状態と閉じた閉状態とに状態変化可能な携帯情報端末であって、本体が閉状態および閉状態のいずれの状態でも撮影可能な位置に設けられた第１のカメラと、本体が開状態にあるときのみ撮影可能な位置に設けられた第２のカメラと、第１のカメラに設けられた、レンズが露出する露出状態と、レンズが露出しない保護状態とに状態を変化可能なレンズカバーと、本体の状態を検出する第１状態検出手段と、レンズカバーの状態を検出する第２状態検出手段と、第１状態検出手段による検出結果と、第２状態検出手段による検出結果とに基づいて、第１のカメラおよび第２のカメラの動作状態を切換える切換手段とを備えている。
【０００７】
この発明によると、カメラ付携帯情報端末は、本体の開閉状態の検出結果とレンズカバーの露出状態と保護状態の検出結果に基づいて、第１のカメラおよび第２のカメラの動作状態が切換えられる。このため、使用者は複雑なキー操作を行なうことなく、２つのカメラのいずれかを動作させることが可能なカメラ付携帯情報端末を提供することができる。
【０００８】
好ましくは、切換手段は、第２状態検出手段によりレンズカバーの状態が保護状態から露出状態への変化が検出されたとき、第１の状態検出手段による出力にかかわらず、第１のカメラを動作させる。
【０００９】
この発明によると、本体の開閉状態によらず、レンズカバーを開けるという操作により、瞬時にカメラを起動させることが可能となる。このため、使い勝手が向上する。
【００１０】
好ましくは、切換手段は、第１のカメラが動作している状態で、第２状態検出手段によりレンズカバーが露出状態から保護状態への変化が検出されたとき、第１の状態検出手段により開状態が検出されていることを条件に、第２のカメラを動作させる。
【００１１】
この発明によると、第１のカメラで撮影中、レンズカバーを閉じることにより、ただちに、第２のカメラが動作する。このため、使用者は簡単な操作で第１のカメラから第２のカメラに切換えることができる。その結果、操作ミスの防止に役立つ。
【００１２】
好ましくは、第１のカメラまたは第２のカメラのいずれかを動作させる指示を受付ける受付手段をさらに備え、切換手段は、受付手段により指示が受付けられると、第１状態検出手段により開状態が検出され、かつ、第２状態検出手段により保護状態が検出されていることを条件に、第２のカメラを動作させる。
【００１３】
この発明によると、本体が開状態で、かつ、レンズカバーが保護状態の場合には、カメラを動作させる指示を受けると、第２のカメラを動作させる。このため、使用者は複雑な操作をすることなく、第２のカメラを使用することができ、操作が簡便化される。
【発明を実施するための最良の形態】
【００１４】
以下、本発明の実施の形態について図面を参照しながら説明する。なお、図中同一符号は同一または相当する部材を示し、説明は繰り返さない。図１は、この発明の一実施形態に係るカメラ付携帯電話の外観を示す図である。図１（Ａ）は正面図、図１（Ｂ）は左側面図、図１（Ｃ）は背面図である。
【００１５】
図を参照して、カメラ付携帯電話は、本体１が、上部筐体１ａと、下部筐体１ｂと、ヒンジ１１５とを含む。上部筐体１ａと、下部筐体１ｂとは、ヒンジ１１５により連結されているため、ヒンジ１１５を回転中心として、回動する。これにより、上部筐体１ａと、下部筐体１ｂとを重ね合わせることで折畳状態とできる。
【００１６】
ここで本体１の開閉状態について説明する。本体１の閉状態とは、上部筐体１ａと下部筐体１ｂとが重なった状態である。本体１の開状態とは、上部筐体１ａと下部筐体１ｂとが重なっていない状態である。また、本体１が閉状態で上部筐体１ａと下部筐体１ｂとが重なり合う面を正面２ａといい、正面２ａに対抗する面を背面２ｂという。正面２ａと背面２ｂとを連結する面を側面２ｃという。
【００１７】
なお、本体１の構造は、上部筐体１ａと下部筐体１ｂとが、開状態と閉状態とに状態変更可能であれば実施の形態１以外でもよい。たとえば、上部筐体１ａと下部筐体１ｂとが正面２ａで重なり合っている状態（閉状態）から、一方が他方に対して正面２ａに平行にスライドすることにより開状態となってもよい。または、上部筐体１ａと下部筐体１ｂとが正面２ａに垂直な回転軸により連結され、この軸を中心として互いに回転し、折り畳みナイフのごとく１８０度回動させることで開閉状態が変化する、などの機構でもかまわない。
【００１８】
上部筐体１ａは、アンテナ１０１と、主表示部１０５ａと、外部カメラ（第１のカメラ）１０７と、レンズカバー１０８と、レンズカバー状態検出部１０９と、内部カメラ（第２のカメラ）１１０と、カメラ動作ボタン１１２と、スピーカ１１３とを含む。
【００１９】
主表示部１０５ａは、ＬＣＤ（Liquid Crystal Display）等の表示装置であり上部筐体１ａの正面２ａに設けられ、外部カメラ１０７および内部カメラ１１０で撮影された画像の表示などに用いられる。
【００２０】
外部カメラ１０７は、本体１の開閉状態によらず、撮影可能な位置として、上部筐体１ａの背面２ｂに設置されている。背面２ｂ以外でも、本体１の開閉状態によらず撮影可能な位置ならば、側面２ｃ等、他の位置に設置することも可能である。
【００２１】
レンズカバー１０８は、外部カメラ１０７のレンズが外部に露出しないようにレンズ面を覆うことが可能な位置に設けられたスライド式のカバーである。レンズカバー１０８は、外部カメラ１０７のレンズ面を覆い、外部カメラ１０７による撮影が不可能な保護状態と、レンズ面を露出して外部カメラ１０７による撮影が可能な露出状態とに状態変化可能である。なお、レンズカバー１０８は、外部カメラ１０７のレンズ面の保護状態と露出状態との変化を実現する機能を持てばよく、開閉方向、形状は特に制限されない。
【００２２】
レンズカバー状態検出部１０９は、レンズカバー１０８が、保護状態にあるか、露出状態にあるかを検出するスイッチである。レンズカバー状態検出部１０９は、レンズカバー１０８と上部筐体１ａとの間に設置されている。検出結果は保護状態でＯＦＦ、露出状態ではＯＮとなる。
【００２３】
内部カメラ１１０は、上部筐体１ａの正面２ａに設けられている。この配置により、本体１が開状態時には内部カメラ１１０のレンズ面は露出され、撮影が可能な状態となる。一方本体が閉状態では、レンズ面が下部筐体１ｂにより覆われるので、撮影不可能な状態となる。
【００２４】
カメラ動作ボタン１１２は、側面２ｃに設けられたスイッチであり、撮影の開始を指示するためのシャッターボタンである。またカメラ動作ボタン１１２は、カメラを動作させるための指示ボタンとしても利用される。スピーカ１１３は、上部筐体１ａ上部、正面２ａに設けられ、音声等の出力に用いられる。
【００２５】
下部筐体１ｂは、キー入力部１０４と、補助表示部１０５ｂと、本体開閉状態検出部１１１と、マイク１１４とを含む。
【００２６】
キー入力部１０４は、複数のキーからなり、テンキー、電源切換スイッチ等を含み、数字や文字等の入力および、通話機能やメール機能等の選択に用いられる。
【００２７】
補助表示部１０５ｂは、ＬＣＤ等の表示装置であり下部筐体１ｂの背面２ｂに設置されている。これにより、本体１が閉状態でも、外部カメラ１０７で撮影された画像等の表示が可能となる。
【００２８】
本体開閉検出部１１１は、本体１の開閉状態を検出するスイッチである。検出結果は閉状態でＯＦＦ、開状態でＯＮとなる。マイク１１４は、正面２ａ下部に設けられ、音声等の入力に用いられる。
【００２９】
図２は本実施の形態における、カメラ付携帯電話の構成を示すブロック図である。本体１は、全体を制御するための制御部１０６と、それに接続された、アンテナ１０１と、無線回路部１０２と、音声処理部１０３と、キー入力部１０４と、主表示部１０５ａと、補助表示部１０５ｂと、外部カメラ１０７と、レンズカバー状態検出部１０９と、内部カメラ１１０と、本体開閉状態検出部１１１と、カメラ動作ボタン１１２と、スピーカ１１３と、マイク１１４とを含む。
【００３０】
通信回路部１０２は、アンテナ１０１を介して図示しない無線基地局と信号送受信を行なう。音声処理部１０３は、通信回路部１０２によって送受信される信号に含まれる音声信号に所定の信号処理を施す。スピーカ１１３およびマイク１１４は、音声の入出力を行なう。これにより携帯電話としての通話機能を実現する。キー入力部１０４は、数字や文字等のデータや機能選択等の各種指示の入力に用いられる。主表示部１０５ａおよび補助表示部１０５ｂは、キー入力部１０４によって入力されたデータや、外部カメラ１０７や内部カメラ１１０からの映像を表示する。
【００３１】
レンズカバー状態検出部１０９と本体開閉状態検出部１１１とは制御部１０６に接続される。レンズカバー状態検出部１０９は、レンズカバー１０８の状態を検出する。本体開閉状態検出部１１１は本体１の開閉状態を検出する。制御部１０６は、これらの検出結果に基づいて、外部カメラ１０７と、内部カメラ１１０とのいずれかを動作させる。たとえば、外部カメラ１０７が動作中、本体１が開状態でレンズカバー１０８を閉じると、検出部１０９と検出部１１１からの信号に基づいて、外部カメラ１０７を非動作状態とするとともに、内部カメラ１１０を動作状態とし、外部カメラ１０７から内部カメラ１１０へと動作カメラを切換える。その他の制御についてはあとで詳しく説明する。
【００３２】
まず、制御部１０６で検出する、本体１の開閉状態とレンズカバーの保護状態と露出状態との組み合わせについて説明する。
【００３３】
図３は、本体１の開閉状態と、レンズカバー１０８の状態との、組み合わせを示す図である。組み合わせとしては、４つの状態Ａ，Ｂ，Ｃ，Ｄが存在する。
【００３４】
（１）状態Ａ：本体１が閉状態、レンズカバー１０８が保護状態となっている状態。
【００３５】
（２）状態Ｂ：本体１が閉状態、レンズカバー１０８が露出状態となっている状態。
【００３６】
（３）状態Ｃ：本体１が開状態、レンズカバー１０８が露出状態となっている状態。
【００３７】
（４）状態Ｄ：本体１が開状態、レンズカバー１０８が保護状態となっている状態。
【００３８】
なお、本実施の形態では、本体１の開閉状態は、レンズカバー１０８の保護露出状態と同時に変化することはない。このため状態Ａからは、状態Ｃへ遷移しない。状態Ａからは状態Ｂまたは状態Ｄへ遷移する。状態Ｂからは、状態Ｄへ遷移しない。状態Ｂからは状態Ａまたは状態Ｃへ遷移する。状態Ｃからは状態Ａへ遷移しない。状態Ｃからは状態Ｂまたは状態Ｄへ遷移する。状態Ｄからは、状態Ｂへ遷移しない。状態Ｄからは状態Ａまたは状態Ｃへ遷移する。
【００３９】
図４は、状態が遷移する場合に、外部カメラ１０７と、内部カメラ１１０との動作の制御方法を示した図である。図４において、たとえば状態遷移１は、図３における状態Ａから状態Ｂへと遷移したことを示す。この遷移により、外部カメラ１０７がＯＦＦからＯＮとなることが示される。ここで、カメラＯＦＦとはそのカメラが非動作状態であることを示し、カメラＯＮとはそのカメラが動作状態であることを示す。
【００４０】
図５はこの実施形態のカメラ付携帯電話で実行させる処理の流れを示すフローチャートである。本体１の開閉状態と、レンズカバー１０８の保護状態と露出状態との変化を判定し、処理を実行する。なお、このフローチャートは外部カメラ１０７と内部カメラ１１０との動作切換えにかかわる処理に限定したものであり、携帯電話として必要な、キー入力部１０４からのキー入力イベントや、通話回路部１０２からの着信イベントなどの割り込み処理については記述していない。
【００４１】
以下、図４の遷移１から遷移８の８つの状態遷移について、図５を用いて説明する。
【００４２】
状態遷移１は状態Ａから状態Ｂへと遷移したことを示し、この遷移により、外部カメラ１０７をＯＦＦからＯＮとする。これは、フローチャートのＳ０１→Ｓ０２→Ｓ０３のパスに対応する。このパスについて説明する。
【００４３】
まず、電源投入後、ステップＳ０１の待受け状態となる。待受け状態とは、本体１が通話や撮影などの特別の処理を行なっていない、使用者からの指示を待っている状態である。次に、ステップＳ０２において、制御部１０６がレンズカバー状態検出部１０９からの信号に基づいて、レンズカバーが保護状態から露出状態に切換わったかを判断する。この遷移では切換わったためステップＳ０３に進む。なお切換わらなかったと判断した場合にはステップＳ０８に進む。ステップＳ０３では、外部カメラ１０７を動作状態とする。なおこの場合、制御部１０６は外部カメラ１０７の映像を、補助表示部１０５ｂに表示する。
【００４４】
この遷移の結果、本体１が閉状態でも、レンズカバー１０８を露出状態とすることにより外部カメラ１０７を動作状態にできる。このため、使用者の使い勝手が向上する。
【００４５】
状態遷移２は状態Ｂから状態Ｃへと遷移したことを示す。つまり、レンズカバー１０８を露出状態のまま本体１を開状態とする。この遷移では、外部カメラ１０７はＯＮのままである。
【００４６】
この遷移２は、Ｓ０３→Ｓ０４→Ｓ０５→Ｓ０３のパスに対応する。このパスについて説明する。ステップＳ０３では外部カメラ１０７が動作中である。次に、ステップＳ０４において、制御部１０６が本体開閉検出部１１１からの信号に基づいて、本体１が開状態であるかを判定する。本体１が開状態であるのでステップＳ０５に進む。なお閉状態の場合にはステップＳ１０に進む。ステップＳ０５において、制御部１０６がレンズカバー状態検出部１０９からの信号に基づいて、レンズカバーが露出状態から保護状態に切換わったかを判断する。この遷移では切換わっていないためステップＳ０３に進む。なお切換わったと判断した場合にはステップＳ０６に進む。ステップＳ０３では、外部カメラ１０７をそのまま動作状態とする。なおこの場合、制御部１０６は外部カメラ１０７の映像を、主表示部１０５ａと、補助表示部１０５ｂとの両方に表示する。
【００４７】
この遷移の結果、本体１が閉状態で外部カメラ１０７を使用中に、本体１を開状態としても、そのまま継続して外部カメラ１０７を使用できる。
【００４８】
状態遷移３は状態Ｃから状態Ｄへと遷移したことを示す。つまり、本体１を開状態のままレンズカバー１０８を露出状態から保護状態へと変更する。この遷移では、外部カメラ１０７はＯＮからＯＦＦとなり、内部カメラ１１０がＯＦＦからＯＮになる。
【００４９】
この遷移３は、Ｓ０３→Ｓ０４→Ｓ０５→Ｓ０６のパスに対応する。このパスについて説明する。ステップＳ０３では外部カメラ１０７が動作中である。次に、ステップＳ０４において、制御部１０６が本体開閉検出部１１１からの信号に基づいて、本体１が開状態であるかを判定する。本体１が開状態であるのでステップＳ０５に進む。なお本体１が閉状態の場合にはステップＳ１０に進む。ステップＳ０５において、制御部１０６がレンズカバー状態検出部１０９からの信号に基づいて、レンズカバーが露出状態から保護状態に切換わったかを判断する。この遷移では切換わったためステップＳ０６に進む。なお切換わらなかった場合にはステップＳ０３に進む。ステップＳ０６では、制御部１０６は内部カメラ１１０を動作状態とする。なおこの場合、制御部１０６は内部カメラ１１０の映像を、主表示部１０５ａと、補助表示部１０５ｂとの両方に表示する。
【００５０】
この遷移の結果、本体１が開状態で外部カメラ１０７を使用中に、レンズカバー１０８を保護状態とすることにより、すばやく、外部カメラ１０７から内部カメラ１１０へと動作を切換えることができる。このように、使用者は簡便な操作でカメラの切換えを行なうことができるため、操作ミスが減少する。
【００５１】
状態遷移４は状態Ｄから状態Ａへと遷移したことを示す。つまり、レンズカバー１０８を保護状態のまま、本体１を閉状態へと変更する。この遷移では、外部カメラ１０７はＯＦＦのまま、内部カメラ１１０がＯＮからＯＦＦになる。
【００５２】
この遷移４は、Ｓ０６→Ｓ０７→Ｓ１１→Ｓ０１のパスに対応する。このパスについて説明する。ステップＳ０６では内部カメラ１１０が動作中である。次に、ステップＳ０７において、制御部１０６がレンズカバー状態検出部１０９からの信号に基づいて、レンズカバーが保護状態から露出状態に切換わったかを判断する。この遷移では切換わっていないためステップＳ１１に進む。なお切換わった場合にはステップＳ０１に進む。ステップＳ１１において、制御部１０６が本体開閉検出部１１１からの信号に基づいて、本体１が開状態であるかを判定する。本体１が閉状態であるのでステップＳ０１に進む。なお本体１が開状態の場合にはステップＳ０６に進む。ステップＳ０１では、制御部１０６は内部カメラ１０７を非動作状態とする。
【００５３】
この遷移の結果、本体１を開いた状態で内部カメラ１１０を使用中に、本体１を閉状態とすることにより、内部カメラ１１０を非動作状態とすることができる。この場合、本体１を待受け状態としてもよい。通常は本体１が閉状態で端末を携帯するため、待受け状態で待機させることが合理的である。
【００５４】
状態遷移５は状態Ａから状態Ｄへと遷移したことを示す。つまり、レンズカバー１０８を保護状態のまま、本体１を開状態とする。この遷移では、外部カメラ１０７、内部カメラ１１０ともにＯＦＦのままである。
【００５５】
この遷移５は、Ｓ０１→Ｓ０２→Ｓ０８→Ｓ０９→Ｓ０１のパスに対応する。このパスについて説明する。ステップＳ０１は待受け状態である。次に、ステップＳ０２において、制御部１０６がレンズカバー状態検出部１０９からの信号に基づいて、レンズカバーが保護状態から露出状態に切換わったかを判定する。この遷移では切換わっていないためステップＳ０８に進む。なお切換わった場合にはステップＳ０３に進む。ステップＳ０８において、制御部１０６が本体開閉検出部１１１からの信号に基づいて、本体１が開状態であるかを判定する。本体１が開状態であるのでステップＳ０９に進む。なお本体１が閉状態の場合にはステップＳ０１に進む。ステップＳ０９では、制御部１０６がカメラ動作ボタン１１２が押されたかを判定する。この遷移では押されていないためステップＳ０１に進む。なお押された場合にはステップＳ０６に進む。ステップＳ０１は、待受け状態であり、制御部１０６は外部カメラ１０７、内部カメラ１１０ともに非動作状態とする。
【００５６】
この遷移の結果、レンズカバー１０８が保護状態のまま、本体１を開状態としても、外部カメラ１０７、内部カメラ１１０とも非動作状態のままである。これは携帯電話として本体１を使用する場合の通常の操作であり、待受け状態としておくことが合理的である。
【００５７】
状態遷移６は状態Ｄから状態Ｃへと遷移したことを示す。つまり、本体１を開状態のままレンズカバー１０８を保護状態から露出状態へと変更する。この遷移では、外部カメラ１０７はＯＦＦからＯＮとなり、内部カメラ１１０はＯＦＦとなる。ただし、状態Ｄには内部カメラ１１０がＯＮとなっていた場合と内部カメラ１１０がＯＦＦであった場合の２種類の状態が存在する。
【００５８】
内部カメラ１１０がＯＮとなっていた場合（状態遷移６Ａ）、この遷移６Ａは、Ｓ０６→Ｓ０７→Ｓ０３のパスに対応する。このパスについて説明する。ステップＳ０６では内部カメラ１１０が動作中である。次に、ステップＳ０７において、制御部１０６がレンズカバー状態検出部１０９からの信号に基づいて、レンズカバーが保護状態から露出状態に切換わったかを判断する。この遷移では切換わったためステップＳ０３に進む。なお切換わらなかった場合にはステップＳ１１に進む。ステップＳ０３では、外部カメラ１０７を動作状態とし、内部カメラ１１０を非動作状態とする。なおこの場合、制御部１０６は外部カメラ１０７の映像を、主表示部１０５ａと、補助表示部１０５ｂとの両方に表示する。
【００５９】
この遷移の結果、本体１が開状態で内部カメラ１１０を使用中に、レンズカバー１０８を露出状態とすることにより、すばやく、外部カメラ１０７へと動作を切換えることができる。このように、使用者は簡便な操作でカメラの切換えを行なうことができる。
【００６０】
状態Ｄで内部カメラがＯＮとなるには特別な条件がある。それは、Ｓ０１→Ｓ０２→Ｓ０８→Ｓ０９→Ｓ０６のパスをとおる場合である。このパスについて説明する。ステップＳ０１は待受け状態である。次に、ステップＳ０２において、制御部１０６がレンズカバー状態検出部１０９からの信号に基づいて、レンズカバーが保護状態から露出状態に切換わったかを判定する。この遷移では切換わっていないためステップＳ０８に進む。なお切換わった場合にはステップＳ０３に進む。ステップＳ０８において、制御部１０６が本体開閉検出部１１１からの信号に基づいて、本体１が開状態であるかを判定する。本体１が開状態であるのでステップＳ０９に進む。なお本体１が閉状態の場合にはステップＳ０１に進む。ステップＳ０９では、制御部１０６がカメラ動作ボタン１１２が押されたかを判定する。この遷移では押されているためステップＳ０６に進む。なお押されていない場合にはステップＳ０１に進む。ステップＳ０６では、制御部１０６は外部カメラ１０７を非動作状態とし、内部カメラ１１０を動作状態とする。なおこの場合、制御部１０６は内部カメラ１１０の映像を、主表示部１０５ａと、補助表示部１０５ｂとの両方に表示する。
【００６１】
この遷移の結果、本体１が開状態で、外部カメラ１０７を使用していない状態から、カメラ動作ボタン１１２を押すことにより内部カメラ１１０を動作状態にできる。このように、使用者は簡単な操作で内部カメラ１１０を動作させることができる。
【００６２】
内部カメラがＯＦＦであった場合（状態遷移６Ｂ）この遷移６Ｂは、Ｓ０１→Ｓ０２→Ｓ０３のパスに対応する。このパスについて説明する。ステップＳ０１は待受け状態である。次に、ステップＳ０２において、制御部１０６がレンズカバー状態検出部１０９からの信号に基づいて、レンズカバーが保護状態から露出状態に切換わったかを判断する。この遷移では切換わったためステップＳ０３に進む。なお切換わらなかった場合にはステップＳ０８に進む。ステップＳ０３では、外部カメラ１０７を動作状態とする。なおこの場合、制御部１０６は外部カメラ１０７の映像を、主表示部１０５ａと、補助表示部１０５ｂとの両方に表示する。
【００６３】
この遷移の結果、本体１が開状態であっても、レンズカバー１０８を露出状態とすることにより外部カメラ１０７を動作状態にできる。このように、使用者は簡単な操作で外部カメラ１０７を動作させることができる。
【００６４】
状態遷移７は状態Ｃから状態Ｂへと遷移したことを示す。つまり、レンズカバー１０８を露出状態のまま、本体１を閉状態へ変更する。この遷移では、外部カメラ１０７はＯＮ、内部カメラ１１０はＯＦＦのままである。
【００６５】
この遷移７は、Ｓ０３→Ｓ０４→Ｓ１０→Ｓ０３のパスに対応する。このパスについて説明する。ステップＳ０３では外部カメラ１０７が動作中である。次に、ステップＳ０４において、制御部１０６が本体開閉検出部１１１からの信号に基づいて、本体１が開状態であるかを判定する。本体１が閉状態であるのでステップＳ１０に進む。なお本体１が開状態の場合にはステップＳ０５に進む。ステップＳ１０において、制御部１０６がレンズカバー状態検出部１０９からの信号に基づいて、レンズカバーが露出状態から保護状態に切換わったかを判断する。この遷移では切換わっていないためＳ０３に進む。なお切換わった場合にはステップＳ０１に進む。ステップＳ０３では、制御部１０６は外部カメラ１０７を動作状態とし、内部カメラ１１０を非動作状態とする。なおこの場合、制御部１０６は外部カメラ１０７の映像を、補助表示部１０５ｂに表示する。
【００６６】
この遷移の結果、本体１が開状態で外部カメラ１０７を使用中に、本体１を閉状態とした場合でも、そのまま外部カメラ１０７を用いて撮影を続行可能である。
【００６７】
状態遷移８は状態Ｂから状態Ａへと遷移したことを示す。つまり、本体１を閉状態のままレンズカバー１０８を露出状態から保護状態へと変更する。この遷移では、外部カメラ１０７はＯＮからＯＦＦとなり、内部カメラ１１０はＯＦＦのままである。
【００６８】
この遷移８は、Ｓ０３→Ｓ０４→Ｓ１０→Ｓ０１のパスに対応する。このパスについて説明する。ステップＳ０３では外部カメラ１０７が動作中である。次に、ステップＳ０４において、制御部１０６が本体開閉検出部１１１からの信号に基づいて、本体１が開状態であるかを判定する。本体１が閉状態であるのでステップＳ１０に進む。なお本体１が開状態の場合にはステップＳ０５に進む。ステップＳ１０において、制御部１０６がレンズカバー状態検出部１０９からの信号に基づいて、レンズカバーが露出状態から保護状態に切換わったかを判断する。この遷移では切換わったためステップＳ０１に進む。なお切換わらなかった場合にはステップＳ０３に進む。ステップＳ０１は、待受け状態であり、制御部１０６は外部カメラ１０７、内部カメラ１１０ともに非動作状態とする。
【００６９】
この遷移の結果、本体１が閉状態で外部カメラ１０７を使用中に、レンズカバー１０８を保護状態とすることにより、外部カメラ１０７を非動作状態とすることもできる。通常はこの状態で端末を携帯するため、待ち受け状態で待機させることが合理的である。
【００７０】
以上説明したように本実施の形態のカメラ付携帯電話は、本体１の開閉状態の検出結果とレンズカバー１０８の露出状態と保護状態の検出結果に基づいて、外部カメラ１０７および内部カメラ１１０の動作状態が切換えられため、使用者は複雑なキー操作を行なうことなく、２つのカメラのいずれかを動作させることができる。
【００７１】
また、本体の開閉状態によらず、レンズカバー１０８を開けるという操作により、瞬時にカメラを起動させることが可能となるため、使い勝手が向上する。
【００７２】
また、外部カメラ１０７で撮影中、レンズカバー１０８を閉じることにより、ただちに、内部カメラ１１０が動作するため、使用者は簡単な操作で外部カメラ１０７から内部カメラ１１０に切換えることができる。その結果、操作ミスの防止に役立つ。
【００７３】
また、本体１が開状態で、かつ、レンズカバー１０８が保護状態の場合には、カメラを動作させる指示を受けると、内部カメラ１１０を動作させるため、使用者は複雑な操作をすることなく、内部カメラ１１０を使用することができ、操作が簡便化される。
【００７４】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００７５】
【図１】この発明の一実施形態であるカメラ付携帯電話の外観を示すものであり、（Ａ）は正面図、（Ｂ）は左側面図、（Ｃ）は背面図である。
【図２】この実施形態に係るカメラ付携帯電話のブロック図である。
【図３】この実施形態に係るカメラ付携帯電話の状態を分類する図である。
【図４】この実施形態に係るカメラ付携帯電話の作用を示す遷移図である。
【図５】この実施形態に係るカメラ付携帯電話で実行される処理の流れを示すフローチャートである。
【符号の説明】
【００７６】
１  本体、１ａ  上部筐体、１ｂ  下部筐体、２ａ  正面、２ｂ  背面、２ｃ  側面、１０１  アンテナ、１０２  通信回路部、１０３  音声処理部、１０４  キー入力部、１０５ａ  主表示部、１０５ｂ  補助表示部、１０６  制御部、１０７  外部カメラ（第１のカメラ）、１０８  レンズカバー、１０９  レンズカバー状態検出部、１１０  内部カメラ（第２のカメラ）、１１１  本体開閉状態検出部、１１２  カメラ動作ボタン、１１３  スピーカ、１１４  マイク、１１５  ヒンジ。
【図１】
2005136514.tif 000003
【図２】
2005136514.tif 000004
【図３】
2005136514.tif 000005
【図４】
2005136514.tif 000006
【図５】
2005136514.tif 000007